(57)【要約】【課題】  第１クラッチがオープン故障した場合でもモータジェネレータによるエンジン始動を確保することができる車両用ハイブリッド駆動装置を提供すること。【解決手段】  エンジンＥとモータジェネレータMGとの間に第１クラッチCL1を介装し、前記第１クラッチCL1を締結し、前記モータジェネレータMGをスタータモータとして前記エンジンＥを始動する車両用ハイブリッド駆動装置において、前記第１クラッチCL1は、ノーマルオープンクラッチであり、該第１クラッチCL1とは並列に、外部から力を加えることなくロック状態を維持するロック機構LOを備えた手段とした。【選択図】        図２
2006306327.tif 000002
【特許請求の範囲】
【請求項１】
エンジンとモータジェネレータとの間に第１クラッチを介装し、前記第１クラッチを締結し、前記モータジェネレータをスタータモータとして前記エンジンを始動する車両用ハイブリッド駆動装置において、
前記第１クラッチは、ノーマルオープンクラッチであり、該第１クラッチとは並列に、外部から力を加えることなくロック状態を維持するロック機構を備えたことを特徴とする車両用ハイブリッド駆動装置。
【請求項２】
請求項１に記載された車両用ハイブリッド駆動装置において、
前記第１クラッチは、油圧源からの締結圧供給により締結されるノーマルオープンの湿式クラッチとしたことを特徴とする車両用ハイブリッド駆動装置。
【請求項３】
請求項１または２に記載された車両用ハイブリッド駆動装置において、
前記ロック機構は、エンジン側ギヤとモータ側ギヤとに噛み合い可能なカップリングスリーブを有し、該カップリングスリーブにスプリングによる付勢力を与えることで、前記エンジン側ギヤと前記モータ側ギヤとに前記カップリングスリーブが同時に噛み合うロック状態を維持することを特徴とする車両用ハイブリッド駆動装置。
【請求項４】
請求項３に記載された車両用ハイブリッド駆動装置において、
前記第１クラッチは、締結状態から開放するとき、油圧源からの開放圧を開放圧室に供給することにより開放し、
前記ロック機構は、ロック解除するとき、前記油圧源からの同じ開放圧をロック解除圧室に供給し、スプリング力に対抗する油圧力を発生することで、前記カップリングスリーブの噛み合いを解除することを特徴とする車両用ハイブリッド駆動装置。
【請求項５】
請求項１乃至４の何れか１項に記載された車両用ハイブリッド駆動装置において、
前記第１クラッチは、軸心から径方向の外側に離れた位置に配置し、
前記ロック機構は、前記第１クラッチの内側位置に、互いに軸方向に重なり合う状態で配置したことを特徴とする車両用ハイブリッド駆動装置。
【発明の詳細な説明】
【技術分野】
【０００１】
本発明は、エンジンとモータジェネレータとの間に第１クラッチを介装し、第１クラッチを締結し、モータジェネレータをスタータモータとしてエンジンを始動する車両用ハイブリッド駆動装置に関する。
【背景技術】
【０００２】
従来、エンジンとモータジェネレータとの間に第１クラッチを介装し、第１クラッチを締結し、モータジェネレータをスタータモータとしてエンジンを始動する車両用ハイブリッド駆動装置が知られている（例えば、特許文献１参照）。
【特許文献１】特開平１１−８２２６０号公報
【発明の開示】
【発明が解決しようとする課題】
【０００３】
しかしながら、上記従来の車両用ハイブリッド駆動装置にあっては、第１クラッチとして自動変速機等に使用されるノーマルオープンタイプの湿式多板クラッチが採用されるため、クラッチ油圧を作り出せない等でオープン故障した場合、エンジン始動ができなくなる、という問題がある。
【０００４】
本発明は、上記問題に着目してなされたもので、第１クラッチがオープン故障した場合でもモータジェネレータによるエンジン始動を確保することができる車両用ハイブリッド駆動装置を提供することを目的とする。
【課題を解決するための手段】
【０００５】
上記目的を達成するため、本発明では、エンジンとモータジェネレータとの間に第１クラッチを介装し、前記第１クラッチを締結し、前記モータジェネレータをスタータモータとして前記エンジンを始動する車両用ハイブリッド駆動装置において、
前記第１クラッチは、ノーマルオープンクラッチであり、該第１クラッチとは並列に、外部から力を加えることなくロック状態を維持するロック機構を備えたことを特徴とする。
【発明の効果】
【０００６】
よって、本発明の車両用ハイブリッド駆動装置にあっては、ノーマルオープンクラッチである第１クラッチがオープン故障した場合であっても、ロック状態が維持されたロック機構によりエンジンとモータジェネレータとの連結が確保される。この結果、第１クラッチがオープン故障した場合でもモータジェネレータによるエンジン始動を確保することができる。
【発明を実施するための最良の形態】
【０００７】
以下、本発明の車両用ハイブリッド駆動装置を実現する最良の形態を、図面に示す実施例１に基づいて説明する。
【実施例１】
【０００８】
まず、ハイブリッド車両の駆動系構成を説明する。
図１は実施例１のハイブリッド駆動装置が適用された後輪駆動によるハイブリッド車両を示す全体システム図である。実施例１におけるハイブリッド車の駆動系は、図１に示すように、エンジンＥと、モータジェネレータMGと、第１クラッチCL1と、第２クラッチCL2と、自動変速機ATと、プロペラシャフトPSと、ディファレンシャルDFと、左ドライブシャフトDSLと、右ドライブシャフトDSRと、左後輪RLと、右後輪RRと、を有する。
【０００９】
前記エンジンＥは、ガソリンエンジンやディーゼルエンジンであり、後述するエンジンコントローラ１からの制御指令に基づいて、スロットルバルブのバルブ開度等が制御される。
【００１０】
前記モータジェネレータMGは、ロータに永久磁石を埋設しステータにステータコイルが巻き付けられた同期型モータジェネレータであり、後述するモータコントローラ２からの制御指令に基づいて、インバータ３により作り出された三相交流を印加することにより制御される。このモータジェネレータMGは、バッテリ４からの電力の供給を受けて回転駆動する電動機として動作することもできるし（以下、この状態を「力行」と呼ぶ）、ロータが外力により回転している場合には、ステータコイルの両端に起電力を生じさせる発電機として機能してバッテリ４を充電することもできる（以下、この動作状態を「回生」と呼ぶ）。なお、このモータジェネレータMGのロータは、ダンパー４９を介して自動変速機ATの入力軸に連結されている（図３参照）。
【００１１】
前記第１クラッチCL1は、前記エンジンＥとモータジェネレータMGとの間に介装された油圧式多板クラッチであり、後述する第１クラッチコントローラ５からの制御指令に基づいて、第１クラッチ油圧ユニット６により作り出された制御油圧により、スリップ締結とスリップ開放を含み締結・開放が制御される。なお、第１クラッチCL1の詳しい構成については後述する。
【００１２】
前記第２クラッチCL2は、前記モータジェネレータMGと左右後輪RL,RRとの間に介装された油圧式多板クラッチであり、後述するＡＴコントローラ７からの制御指令に基づいて、第２クラッチ油圧ユニット８により作り出された制御油圧により、スリップ締結とスリップ開放を含み締結・開放が制御される。
【００１３】
前記自動変速機ATは、例えば、前進５速後退１速や前進６速後退１速等の有段階の変速比を車速やアクセル開度等に応じて自動的に切り換える変速機であり、前記第２クラッチCL2は、専用クラッチとして新たに追加したものではなく、自動変速機ATの各変速段にて締結される複数の摩擦締結要素のうちいくつかの摩擦締結要素を流用している。そして、前記自動変速機ATの出力軸は、プロペラシャフトPS、ディファレンシャルDF、左ドライブシャフトDSL、右ドライブシャフトDSRを介して左右後輪RL,RRに連結されている。
【００１４】
次に、ハイブリッド車両の制御系を説明する。
実施例１におけるハイブリッド車両の制御系は、図１に示すように、エンジンコントローラ１と、モータコントローラ２と、インバータ３と、バッテリ４と、第１クラッチコントローラ５と、第１クラッチ油圧ユニット６と、ＡＴコントローラ７と、第２クラッチ油圧ユニット８と、ブレーキコントローラ９と、統合コントローラ１０と、を有して構成されている。なお、エンジンコントローラ１と、モータコントローラ２と、第１クラッチコントローラ５と、ＡＴコントローラ７と、ブレーキコントローラ９と、統合コントローラ１０とは、互いに情報交換が可能なＣＡＮ通信線１１を介して接続されている。
【００１５】
前記エンジンコントローラ１は、エンジン回転数センサ１２からのエンジン回転数情報を入力し、統合コントローラ１０からの目標エンジントルク指令等に応じ、エンジン動作点（Ne,Te）を制御する指令を、例えば、図外のスロットルバルブアクチュエータへ出力する。なお、エンジン回転数Neの情報は、ＣＡＮ通信線１１を介して統合コントローラ１０へ供給する。
【００１６】
前記モータコントローラ２は、モータジェネレータMGのロータ回転位置を検出するレゾルバ１３からの情報を入力し、統合コントローラ１０からの目標モータジェネレータトルク指令等に応じ、モータジェネレータMGのモータ動作点（Nm,Tm）を制御する指令をインバータ３へ出力する。なお、このモータコントローラ２では、バッテリ４の充電状態をあらわすバッテリSOCを監視していて、バッテリSOC情報は、モータジェネレータMGの制御情報に用いると共に、ＣＡＮ通信線１１を介して統合コントローラ１０へ供給する。
【００１７】
前記第１クラッチコントローラ５は、第１クラッチ油圧センサ１４と第１クラッチストロークセンサ１５からのセンサ情報を入力し、統合コントローラ１０からの第１クラッチ制御指令に応じ、第１クラッチCL1の締結・開放を制御する指令を第１クラッチ油圧ユニット６に出力する。なお、第１クラッチストロークC1Sの情報は、ＣＡＮ通信線１１を介して統合コントローラ１０へ供給する。
【００１８】
前記ATコントローラ７は、アクセル開度センサ１６と車速センサ１７と第２クラッチ油圧センサ１８からのセンサ情報を入力し、統合コントローラ１０からの第２クラッチ制御指令に応じ、変速制御における第２クラッチ制御に優先し、第２クラッチCL2の締結・開放を制御する指令をAT油圧コントロールバルブ内の第２クラッチ油圧ユニット８に出力する。なお、アクセル開度APと車速VSPの情報は、ＣＡＮ通信線１１を介して統合コントローラ１０へ供給する。
【００１９】
前記ブレーキコントローラ９は、４輪の各車輪速を検出する車輪速センサ１９とブレーキストロークセンサ２０からのセンサ情報を入力し、例えば、ブレーキ踏み込み制動時、ブレーキストロークBSから求められる要求制動力に対し回生制動力だけでは不足する場合、その不足分を機械制動力（液圧制動力やモータ制動力）で補うように、統合コントローラ１０からの回生協調制御指令に基づいて回生協調ブレーキ制御を行う。
【００２０】
前記統合コントローラ１０は、車両全体の消費エネルギを管理し、最高効率で車両を走らせるための機能を担うもので、モータ回転数Nmを検出するモータ回転数センサ２１と、第２クラッチ出力回転数N2outを検出する第２クラッチ出力回転数センサ２２と、第２クラッチトルクTCL2を検出する第２クラッチトルクセンサ２３からの情報およびＣＡＮ通信線１１を介して得られた情報を入力する。そして、前記エンジンコントローラ１への制御指令によりエンジンＥの動作制御を行い、前記モータコントローラ２への制御指令によりモータジェネレータMGの動作制御を行い、前記第１クラッチコントローラ５への制御指令により第１クラッチCL1の締結・開放制御を行い、前ＡＴコントローラ７への制御指令により第２クラッチCL2の締結・開放制御を行う。
なお、第１クラッチCL1と第２クラッチCL2の入出力回転数情報は、
第１クラッチ入力回転数＝エンジン回転数Ne（エンジン回転数センサ１２）
第１クラッチ出力回転数＝モータ回転数Nm（モータ回転数センサ２１）
第２クラッチ入力回転数＝モータ回転数Nm（モータ回転数センサ２１）
第２クラッチ出力回転数＝第２クラッチ出力回転数N2out（第２クラッチ出力回転数センサ２２）
により得られる。
【００２１】
次に、第１実施例のハイブリッド車両の基本動作モードについて説明する。
停止中：停止中において、バッテリSOCの低下時であれば、エンジンＥを始動して発電を行い、バッテリ４を充電する。そして、バッテリSOCが通常範囲になれば、第１クラッチCL1は締結で第２クラッチCL2は開放のままでエンジンＥを停止する。
発進時：エンジン発進時には、アクセル開度APとバッテリSOC状態によって、モータジェネレータMGを連れ回し、力行／発電に切り替える。モータ発進時で、ロールバックにより自動変速機ATの出力回転が負回転となったら、第２クラッチCL2のスリップ制御を行い、モータジェネレータMGの回転を正回転に維持する。次に、駆動力を車両が前進するまで上昇させ、第２クラッチCL2をスリップ制御から締結に移行させる。
走行時（一定速・加速）：モータ走行は、エンジン始動に必要なモータトルクとバッテリ出力を確保し、不足する場合はエンジン走行に移行する。燃費向上のために、モータ走行と発電上乗せ充電はセットで行う（モータトルクとバッテリ出力の制約により、走行可能範囲は、低負荷に限定される）。発電上乗せ充電は、エンジン燃料消費の最小点を狙い、走行に必要なトルクに発電トルクを上乗せして行う（但し、バッテリSOC上昇時は、発電を行わない）。アクセル踏み込み時のレスポンス向上のために、エンジントルク遅れ分をモータジェネレータMGによりアシストする。
減速時：コースト減速であって、エンジン走行（燃料カット）時は、エンジンブレーキにより減速力を出すこととし、モータ回生時は、エンブレ相当の減速力を出す。ブレーキON減速時には、ドライバーのブレーキ操作に応じた減速力を回生協調ブレーキ制御にて得る。回生を行う車速は、コースト減速と同じとする。
変速時：エンジン走行やモータ走行中における変速時には、加減速中の変速に伴う回転数合わせのために、モータジェネレータMGを回生／力行させ、トルクコンバータ無しでのスムーズな変速を行う。
【００２２】
次に、上記第１クラッチCL1及びロック機構LOの構成を図２に基づいて説明する。
実施例１の車両用ハイブリッド駆動装置は、エンジンＥとモータジェネレータMGとの間に第１クラッチCL1を介装し、前記第１クラッチCL1を締結し、前記モータジェネレータMGをスタータモータとして前記エンジンＥを始動する。
【００２３】
前記第１クラッチCL1は、図２に示すように、油圧源からの締結圧供給により締結されるノーマルオープンの湿式クラッチであり、該第１クラッチCL1とは並列に、外部から力を加えることなくロック状態を維持するロック機構LOを備えている。そして、前記第１クラッチCL1は、軸心Ｏから径方向の外側に離れた位置に配置し、前記ロック機構LOは、前記第１クラッチCL1の内側位置に、互いに軸方向に重なり合うオーバラップ状態で配置している。
【００２４】
前記エンジンＥからの駆動力は、エンジン入力軸３１にスプライン嵌合されたエンジン側ギヤ３２及びドライブプレートキャリヤ３３を介してドライブプレート３４に伝達される。一方、モータジェネレータMGからの駆動力は、モータ入力軸３５に組み付けられたクラッチドラム３６からダンパ３７を経過し、変速機入力軸３８に伝達されると共に、モータ入力軸３５にスプライン嵌合されたロック部ドラム３９及びモータ側ギヤ４０にも伝達される。
【００２５】
前記第１クラッチCL1は、締結圧室５０に供給された締結圧によりクラッチピストン４１が、クラッチドラム３６に設けられたドリブンプレート４２を押すことで締結し、前記クラッチピストン４１が、シールプレート４３に固定されたクラッチスプリング４４による付勢力と、開放圧室５１に供給された開放圧による油圧力と、で押し戻されることによって開放される。なお、前記締結圧室５０には、エンジン入力軸３１に形成された締結圧油路５３を介し、図外の電動オイルポンプによる油圧源からの締結圧が供給される。前記開放圧室５１には、変速機入力軸３８に形成された開放・解除圧油路５４から、前記エンジン入力軸３１に形成された開放圧分岐油路５５を介して開放圧が供給される。
【００２６】
前記ロック機構LOは、通常はカップリングスリーブスプリング４６によってカップリングスリーブ４５が、前記エンジン側ギヤ３２と前記モータ側ギヤ４０との両方に噛み合いロック状態を維持している。そして、解除圧室５２への油圧供給により、ロック部ピストン４７がカップリングスリーブ４５を押し戻すことで、ロック状態が解除される。また、前記解除圧室５２への油圧を抜くと、ロック部ピストン４７がロック部シールプレート４８に固定されたロック部スプリング４９に押し戻されることで、カップリングスリーブ４５がエンジン側ギヤ３２とモータ側ギヤ４０の両方に噛み合うことで、再度、ロック状態に戻る構造になっている。なお、前記解除圧室５２には、変速機入力軸３８に形成された開放・解除圧油路５４から、前記エンジン入力軸３１に形成された解除圧分岐油路５６を介して解除圧が供給される。
【００２７】
次に、作用を説明する。
［背景技術］
本発明の対象となるハイブリッド車両は、エンジンと、駆動・始動・発電用のモータジェネレータとの間にクラッチを配置し、エンジンを駆動伝達部から切り離すことで、モータジェネレータのみを駆動源とする電気自動車走行を確保すると共に、エンジンフリクションによる電気エネルギ回生量のロスを無くし、最大限に効率良く回生量を確保することを目指すものである。
【００２８】
しかし、エンジンとモータジェネレータとの間に、例えば、ノーマルオープンの湿式クラッチを配置した場合、低温環境下におけるエンジン冷機時に、モータジェネレータでエンジンを始動する場合、低温化で粘性の高くなった油を電動オイルポンプで供給し、湿式クラッチを締結してからモータジェネレータで始動させる手順となるため、低温化で大幅に出力が低下するバッテリでは、電動ポンプとモータジェネレータの両方を満足に駆動できず、湿式クラッチの締結が不可能だった場合、エンジン始動ができない。
【００２９】
そこで、エンジン冷機時にモータジェネレータによるエンジン始動能力を確保するためには、例えば、湿式クラッチを油圧が供給されない状態でも締結状態としなければならないため、ばね等を用いた高い力で湿式クラッチを常時締結状態（ノーマルクローズ状態）に保つ必要がある。しかし、この場合、湿式クラッチを開放したいときには、締結状態を保っているばね力等に打ち勝つ高い油圧が必要になる。
【００３０】
［エンジン始動作用］
低温環境時やエンジン冷機時において、油の粘度が高いことやバッテリ４の性能低下により満足に電動オイルポンプを駆動できず、ノーマルオープンで湿式の第１クラッチCL1を締結状態とするための油圧が確保できない場合も、エンジンＥとモータジェネレータMGとの間はロック機構LOにより常時ロック状態が維持されているため、モータジェネレータMGをスタータモータとしてエンジン始動が可能である。
【００３１】
［ロック作用］
実施例１のロック機構LOは、エンジン側ギヤ３２とモータ側ギヤ４０とに噛み合い可能なカップリングスリーブ４５を有し、該カップリングスリーブ４５にカップリングスリーブスプリング４６による付勢力を与えることで、エンジン側ギヤ３２とモータ側ギヤ４０とにカップリングスリーブ４５が同時に噛み合うロック状態を維持する構造としている。
【００３２】
このように、湿式クラッチのフェーシングを高い圧力で押し付けてロック（締結）状態とするのではなく、カップリングスリーブ４５のスプライン歯をエンジン側ギヤ３２とモータ側ギヤ４０とに噛み合わせてロックするので、カップリングスリーブ４５をスライドさせるだけのばね力で作動させることが可能な上、ロックを解除する際もばね力が大きくないため、大きな油圧を必要としない。
【００３３】
また、カップリングスリーブ４５をエンジン側ギヤ３２とモータ側ギヤ４０とにスプライン嵌合することで完全にロックし、湿式クラッチのように滑ることがないため、伝達容量が大きく、ロック機構LOは、径方向に小型化が可能である。
【００３４】
［電気自動車走行モードからエンジン走行モードへのモード遷移作用］
エンジンＥを停止し、第１クラッチCL1を開放し、ロック機構LOをロック解除している電気自動車走行モードでの走行中に、エンジン走行モードへモード遷移する場合、第１クラッチCL1をスリップ締結してエンジン回転数を徐々に立ち上げ、始動回転数となったら燃料噴射や点火によりエンジンＥを始動し、エンジンＥの始動終了後、第１クラッチCL1を完全締結することで行われる。
【００３５】
この場合、電気自動車走行モードでは、第１クラッチCL1の開放圧室５１には、開放・解除圧油路５４から開放圧分岐油路５５を介して開放圧が供給されているため、第１クラッチCL1をスリップ締結する場合、締結圧室５０に締結圧油路５３を介して締結圧を供給しながら、開放圧室５１の開放圧を少しずつ抜くことによる締結圧室５０と開放圧室５１の差圧制御により、所望のスリップ締結制御を容易に行うことができる。なお、ロック機構LOの解除圧室５２にも、開放・解除圧油路５４から解除圧分岐油路５６を介して解除圧が供給された状態にあり、解除圧が少しずつ抜かれるが、スリップ締結ストローク範囲では、ロック解除状態が保たれる。
【００３６】
そして、エンジンＥの始動が終了すると、開放・解除圧油路５４からの油圧をドレーンするだけで、第１クラッチCL1が完全締結状態となると共にロック機構LOがロック状態となり、第１クラッチCL1とロック機構LOが締結・ロック状態になるタイミングを同期させることができる。
【００３７】
さらに、第１クラッチCL1とロック機構LOが締結・ロック状態になると、その後は、第１クラッチCL1とロック機構LOによりトルクが伝達されるが、ロック機構LOによりエンジン側とモータ側の相対回転を許容しないため、例えば、瞬間的に大トルクが伝達されても第１クラッチCL1が滑ることが無く、第１クラッチCL1の耐久信頼性が確保される。
【００３８】
［エンジン走行モードから電気自動車走行モードへのモード遷移作用］
エンジンＥを作動し、第１クラッチCL1を締結し、ロック機構LOをロックしているエンジン走行モードでの走行中に、電気自動車走行モードへモード遷移する場合、第１クラッチCL1の開放とロック機構LOのロック解除により行われる。
【００３９】
この場合、エンジン走行モードでは、第１クラッチCL1の締結圧室５０に締結圧が供給され、第１クラッチCL1の開放圧室５１とロック機構LOの解除圧室５２からは油圧が抜かれている。
【００４０】
そこで、エンジン走行モードから電気自動車走行モードへのモード遷移指令と同時に、第１クラッチCL1の締結圧室５０から締結圧を抜き、同時に、開放・解除圧油路５４に開放・解除圧を供給する。これにより、第１クラッチCL1の開放圧室５１には、開放・解除圧油路５４から開放圧分岐油路５５を介して開放圧が供給され、同じタイミングで、ロック機構LOの解除圧室５２には、開放・解除圧油路５４から解除圧分岐油路５６を介して解除圧が供給される。
【００４１】
この油圧制御により、第１クラッチCL1が開放状態となると共にロック機構LOがロック解除状態となり、第１クラッチCL1とロック機構LOが開放・ロック解除状態になるタイミングを同期させることができる。
【００４２】
次に、効果を説明する。
実施例１の車両用ハイブリッド駆動装置にあっては、下記に列挙する効果を得ることができる。
【００４３】
(1) エンジンＥとモータジェネレータMGとの間に第１クラッチCL1を介装し、前記第１クラッチCL1を締結し、前記モータジェネレータMGをスタータモータとして前記エンジンＥを始動する車両用ハイブリッド駆動装置において、前記第１クラッチCL1は、ノーマルオープンクラッチであり、該第１クラッチCL1とは並列に、外部から力を加えることなくロック状態を維持するロック機構LOを備えたため、第１クラッチCL1がオープン故障した場合でもモータジェネレータMGによるエンジン始動を確保することができる。
【００４４】
(2) 前記第１クラッチCL1は、油圧源からの締結圧供給により締結されるノーマルオープンの湿式クラッチとしたため、低温環境下におけるエンジン冷機時にモータジェネレータMGでエンジンＥを始動する場合で、湿式クラッチである第１クラッチCL1が高粘性の油では締結不可能な時にも、確実にモータジェネレータMGによるエンジンＥの始動を確保することができる。
【００４５】
(3) 前記ロック機構LOは、エンジン側ギヤ３２とモータ側ギヤ４０とに噛み合い可能なカップリングスリーブ４５を有し、該カップリングスリーブ４５にカップリングスリーブスプリング４６による付勢力を与えることで、前記エンジン側ギヤ３２と前記モータ側ギヤ４０とに前記カップリングスリーブ４５が同時に噛み合うロック状態を維持するため、カップリングスリーブスプリング４６による小さな付勢力だけでロック状態を維持でき、ロック解除も大きな油圧を必要としないばかりでなく、径方向に小型のロック機構LOとすることができる。
【００４６】
(4) 前記第１クラッチCL1は、締結状態から開放するとき、油圧源からの開放圧を開放圧室５１に供給することにより開放し、前記ロック機構LOは、ロック解除するとき、前記油圧源からの同じ開放圧をロック解除圧室５２に供給し、スプリング力に対抗する油圧力を発生することで、前記カップリングスリーブ４５の噛み合いを解除するため、得人走行モードから電気自動車走行モードへとモード遷移する場合、第１クラッチCL1とロック機構LOが開放・ロック解除状態になるタイミングを同期させることができる。
【００４７】
(5) 前記第１クラッチCL1は、軸心Ｏから径方向の外側に離れた位置に配置し、前記ロック機構LOは、前記第１クラッチCL1の内側位置に、互いに軸方向に重なり合う状態で配置したため、軸方向長を短くしたコンパクトな構造にて、ロック機構LOを備えた第１クラッチCL1を構成することができる。
【００４８】
以上、本発明の車両用ハイブリッド駆動装置を実施例１に基づき説明してきたが、具体的な構成については、この実施例１に限られるものではなく、特許請求の範囲の各請求項に係る発明の要旨を逸脱しない限り、設計の変更や追加等は許容される。
【００４９】
実施例１では、第１クラッチCL1として、ノーマルオープンの湿式クラッチであり、ロック機構はエンジン側ギヤとモータ側ギヤとに噛み合い可能なカップリングスリーブによる例を示したが、要するに、ノーマルオープンクラッチであり、該第１クラッチとは並列に、外部から力を加えることなくロック状態を維持するロック機構を備えたものであれば、クラッチ形式やロック機構の具体的構成は実施例１に限定されるものではない。
【産業上の利用可能性】
【００５０】
実施例１では、エンジン・第１クラッチ・モータジェネレータ・変速機というレイアウトを持つ車両用ハイブリッド駆動装置への適用例を示したが、駆動力合成変速機にエンジンとモータジェネレータとが連結され、エンジンと駆動力合成変速機との間に第１クラッチを介装させ、モータジェネレータをスタータモータとしてエンジンを始動するパラレル式のハイブリッド駆動装置等にも適用できる。要するに、エンジンとモータジェネレータとの間に直接、あるいは、差動ギヤ機構等を介して間接的に第１クラッチを介装し、第１クラッチを締結し、モータジェネレータをスタータモータとしてエンジンを始動する車両用ハイブリッド駆動装置であれば適用できる。
【図面の簡単な説明】
【００５１】
【図１】実施例１のハイブリッド駆動装置が適用された後輪駆動のハイブリッド車両を示す全体システム図である。
【図２】実施例１のハイブリッド駆動装置の第１クラッチとロック機構を示す断面図である。
【符号の説明】
【００５２】
Ｅ  エンジン
MG  モータジェネレータ
CL1  第１クラッチ
LO  ロック機構
CL2  第２クラッチ
AT  自動変速機
PS  プロペラシャフト
DF  ディファレンシャル
DSL  左ドライブシャフト
DSR  右ドライブシャフト
RL  左後輪
RR  右後輪
１  エンジンコントローラ
２  モータコントローラ
３  インバータ
４  バッテリ
５  第１クラッチコントローラ
６  第１クラッチ油圧ユニット
７  ＡＴコントローラ
８  第２クラッチ油圧ユニット
９  ブレーキコントローラ
１０  統合コントローラ
３１  エンジン入力軸
３２  エンジン側ギヤ
３３  ドライブプレートキャリア
３４  ドライブプレート
３５  モータ入力軸
３６  クラッチドラム
３７  ダンパ
３８  変速機入力軸
３９  ロック部ドラム
４０  モータ側ギヤ
４１  クラッチピストン
４２  ドリブンプレート
４３  シールプレート
４４  クラッチスプリング
４５  カップリングスリーブ
４６  カップリングスリーブスプリング（スプリング）
４７  ロック部ピストン
４８  ロック部シールプレート
４９  ロック部スプリング
【図１】
2006306327.tif 000003
【図２】
2006306327.tif 000004